(57)【特許請求の範囲】
【請求項１】
一方がチェアのフレームに連結され他方が保護装置に連結された相互作用突起部（７、１１、１１ａ）を有する、チェアリフトのチェアの安全バー（２）又は雨除けフードといった枢動可能保護装置を固定するための装置であって、少なくとも一方の前記突起部（７）がばね式に取付けられていることと、摺動面（８、９；１２、１３）が前記突起部（７、１１、１１ａ）に配設され、該摺動面（８、９；１２、１３）は突起部（７、１１、１１ａ）を両方向に交互に摺動させることとを特徴とする、装置。
【請求項２】
ばね式に取付けられる突起部（７）はばね付ブラケット（５）に配設されることを特徴とする、請求項１に記載の装置。
【請求項３】
ばね付ブラケット（５）はチェアのフレーム（１）に連結されることを特徴とする、請求項２に記載の装置。
【請求項４】
ブラケット（５）はプラスチック又はばね鋼から構成されることを特徴とする、請求項２又は３に記載の装置。
【請求項５】
ブラケット（５）はＩ字形断面のばねアーム（６）を有することを特徴とする、請求項２乃至４のいずれか１項に記載の装置。
【請求項６】
少なくとも１つの突起部（７、１１）、好ましくは両方の突起部（７、１１、１１ａ）は互いに対してＡ字形に傾斜した摺動面（８、９；１２、１３）を有することを特徴とする、請求項１乃至５のいずれか１項に記載の装置。
【請求項７】
少なくとも１つの突起部（７、１１、１１ａ）、好ましくは両方の突起部（７、１１、１１ａ）の摺動面（８、９；１２、１３）は非対称に配設されていることを特徴とする、請求項１乃至６のいずれか１項に記載の装置。
【請求項８】
保護装置は保護装置をフレーム（１）に枢動可能に取付けるための取付板（３）を有することと、突起部（１１）が取付板（３）に配設されていることとを特徴とする、請求項１乃至７のいずれか１項に記載の装置。
【請求項９】
ばね式に取付けられる突起部はばねの力に抗して枢動又は変位可能なように取付けられていることを特徴とする、請求項１又は６乃至８のいずれか１項に記載の装置。
【請求項１０】
突起部（７、１１）は保護装置の端位置において、好ましくは保護装置の閉鎖位置において相互作用することを特徴とする、請求項１乃至９のいずれか１項に記載の装置。
【請求項１１】
保護装置に端位置から他方の端位置の方向に荷重をかけるばねが設けられていることと、前記ばねの力は相互作用突起部（７、１１、１１ａ）の保持力よりも小さいこととを特徴とする、請求項１乃至１０のいずれか１項に記載の装置。
【請求項１２】
互いに隣り合って位置する２つの突起部（１１、１１ａ）が取付板（３）に好適に配設されることを特徴とする、請求項１乃至１１のいずれか１項に記載の装置。
【請求項１３】
少なくとも２つの乗降場を有する索道システムであって、ケーブルに連結されたチェアが乗降場間を移動することが可能であり、前記チェアは請求項１乃至１１のいずれか１項に記載のごとく構成されていることを特徴とする、索道システム。
【発明の詳細な説明】
【技術分野】
【０００１】
本発明は、一方がチェアのフレームに連結され他方が保護装置に連結された相互作用突起部を有する、チェアリフトのチェアの例えば安全バーといった枢動可能保護装置をロックするための装置に関する。
【背景技術】
【０００２】
例えば安全バー又は雨除けフードといったチェアリフトの保護装置は、それらが完全開放位置又は完全閉鎖端位置に位置している場合、前記位置に安定して保持されていなければならず、それは第一に重力によって生じ、第二にばね又はロック機構によって支援され得る。閉鎖バーの意図しない開閉はどんなことがあっても抑止しなければならない。
【０００３】
例えば雨除けフードの有無、ロックシステムの有無などといった極めて広範なチェア型式の実施形態について一般に有効な設定は、多くの理由で実際上可能であるわけではない。この種の理由とは例えば、傾きの違い、行程中の衝撃や振動、異なる重量、製造上のばらつき、温度変化その他である。
【発明の概要】
【発明が解決しようとする課題】
【０００４】
従って、本発明は、保護装置を所定の位置に確実に保持しながらも所定の条件下で開放可能にするための装置を指定するという目的に基づく。
【課題を解決するための手段】
【０００５】
前記目的は、突起部の少なくとも１つがばね式に取付けられることと、摺動面が前記突起部に配設され、該摺動面は突起部を両方向に交互に摺動させることによる、冒頭に述べた特徴を有する装置によって達成される。
【０００６】
例えば、前記端位置にある本発明に従った装置によって、安全バーが乗客の脚の上に横切って延びており従って乗客をチェアに確保する閉鎖位置でロックされている場合、２つの突起部は互いに係合し合い、安全バーはこのようにして固定して保持される。安全バーを開こうとする場合、突起部は交互に移動しなければならず、安全バーをその閉鎖端位置から開放位置に移動させるために必要な力を、一方の突起部のばね力によって比較的精確に設定することが可能である。
【０００７】
本発明によれば、安全バーには、突起部が交互に移動するとただちに安全バーの開放を助けるばね（例えば引張りばね）によって開放位置に向けプレストレスを与えることが可能である。この場合、本発明に従ったシステムは例えば、安全バーの閉鎖状態において引張りばねによって約２０〜３０Ｎの開放力が作用するように設定できる。３０Ｎの付加的な開放力又は乗客によりかけられる手動力のある場合だけ安全バーが開くようにした場合、突起部のばね力は（乗客が作用を及ぼす安全バーの正面で測定して）約５０〜６０Ｎの全体的な力に対応する保持力を行使しなければならない。
【０００８】
しかし同時に、本発明に従った装置は、安全バーが意図せずに端位置に落下し前記端位置に保持されることも防止する。すなわち安全バーが振動その他の力によって、又は例えば（空車の場合に）一緒に安全バーを駆動する雨除けフードの自動閉鎖によって下端位置方向に移動した場合、装置又は互いに接触する突起部は、一方のばね突起部のばね力が克服されないので、完全閉鎖端位置に到達するのを防止する。その結果、安全バーは自動的に再び開くことができ、又は閉じた雨除けフードに当接して後者と同時に再び開くことができる。
【０００９】
本発明の好ましい実施形態は従属請求項の内容である。
【００１０】
本発明の更なる特徴及び利点は、添付図面を参照して、本発明の１つの好ましい例示的実施形態の以下の説明から明らかになる。
【図面の簡単な説明】
【００１１】
【図１】チェアリフトのチェアの一部を側面図で示す。
【図２】図１の細部を拡大斜視図で示す。
【図３】ロック状態の装置の側面図を示す。
【図４】装置の解除状態における図３に従った図を示す。
【発明を実施するための形態】
【００１２】
図１は、チェアリフトのフレームに固定されるか、又はそれ自体がフレームの一部を成すフレーム部１を示す。
【００１３】
安全バー２はフレーム部１に枢動可能に取付けられており、安全バー２は継手４によってフレーム部１に取付けられた取付板３を有する。
【００１４】
ブラケット５がフレーム部１に固定されており、例えばボルト１０を用いてフレーム部１にねじ止めされている。ブラケット５は、その端部に突起部７が配設されているばねアーム６を有する。突起部７は２つの摺動面８及び９を有し、それらはほとんどＡ字形であるが非対称に、すなわち斜体の「Ａ」の形で配向されている。もう一つの突起部１１が取付板３に配設されており、その別の突起部１１も同様に斜体の「Ａ」の形で配設された２つの摺動面１２及び１３を有する。
【００１５】
図１、２及び３に示した位置において、安全バー２は閉鎖端位置にあり、乗客の脚の上に横切って延びている。前記位置で、取付板３の突起部１１はブラケット５の自由端に隣り合う摺動面８に当接する。
【００１６】
図示した実施形態において、ブラケット５のばねアーム６はほぼＩ字形の輪郭を有しており、その結果、前記ばねアーム６は低重量により大きな曲げ抵抗モーメントを提示できる。ブラケット５は好ましくはプラスチックで製造されるが、ばね鋼又は、前記その他の材料の組み合わせからも構成できる。
【００１７】
図１〜図３に示した位置において、ばね付ブラケット５は、好ましくは幾分プレストレスを与えられている結果、安全バー２を閉鎖端位置に押し下げる。それはまた、安全バー２が確実にロックする様態で保持されているので、前記位置では応力から解放され得る。
【００１８】
安全バー２を矢印１４の方向に開こうとする場合、ばね付ブラケット５をそのばね力に抗して矢印１５の方向に押し離さなければならず、突起部１１の先端は、突起部７、１１が図４に示す通り交互に行き違うまで摺動面８を摺動する。
【００１９】
以後、安全バー２は妨げなく他方の開放端位置に上方に移動できる。
【００２０】
安全バー２を再び閉じようとする場合は、最初にそれを図４に示す位置まで移動させて、取付板３の突起部１１をばね付ブラケット５の摺動面９に接触させる。以後、安全バー２又はその取付板３が再び図１〜図３に示した位置に達するまで、更なる閉鎖移動のためにばね付ブラケット５のばね力に打ち勝たなければならない。
【００２１】
安全バー２の意図しない閉鎖は、ブラケット５のばね力に打ち勝つために閉鎖中に安全バー２に対し、又は安全バー２によって加えなければならない力によって防止できるので、前記安全バー２はやはり妨げなく上方に移動でき、チェアが乗降場を移動している間に移動の自由がないため、いかなる操作上の分断も生じない。
【００２２】
本発明に従った装置は、安全バー２の重量を補償するために安全バー２を自動的に開放位置に移動させるばね、例えば引張りばねを有するチェアリフトのチェアにおいて特に好適に使用される。本発明によれば、前記ばね力は、安全バー２がブラケット５によって閉鎖端位置に有効に保持されるので、安全バー２の重量を補償するために必要となるばね力よりも大きくできる。
【００２３】
更なる結果として、これにより、チェア及び安全バー２に作用する外力、例えば風力、振動等が過補償態様で打ち消される所定の力系を構築することが可能になり、それによって、一つには望ましくないことになり得る、一つには規制に反することにもなり得る保護装置の移動又は位置につながり得る不安定な力の平衡が回避できる。
【００２４】
さらに、本発明に従った装置によって、安全バー２を開くためにその保持力に打ち勝たなければならない安全バー２の比較的精確な保持力が設定でき、その場合には、安全バー２は更なる結果として上述のばね力によって補助されて自動的に独立して開く。
【００２５】
図に示したばね付ブラケット５の代わりに他の手段を講じて、２つの突起部７、１１の少なくとも一方がばね式に屈することもできる。例えば、突起部を備えたレバーが考えられ、レバーは、引張りばね、圧縮ばね又はねじりばね、ゴム／金属ブッシュ、ポリマー要素などの力に抗して枢動可能である。同様に、ボール又はピンをボア内に保持してばねに抗して変位させることも考えられる。
【００２６】
図面には、取付板３の突起部１１に加えて、更なる突起部１１ａが随意選択で図示されており、更なる突起部１１ａは安全バー２の第２のロック段を形成する。従って、閉鎖中、安全バー２は第一に突起部１１によってロックされ、その後、最終的に突起部１１ａによって端位置でロックされる。言うまでもなく、第２の突起部１１ａが存在する必要はなく、またブラケット５に更なる突起部が存在してもよい。
【００２７】
要約すれば、本発明の１つの例示的実施形態は以下のように説明できる。
チェアリフトのチェアの安全バー２又は雨除けフードといった枢動可能保護装置をロックするための装置であり、その一方がチェアのフレームに連結され他方が保護装置に連結された相互作用突起部７、１１、１１ａを有する。突起部７の少なくとも１つはばね式に取付けられており、摺動面８、９；１２、１３が突起部７、１１、１１ａに配設されており、摺動面８、９；１２、１３は、安全バー２に所定の力が加えられた後、ばね付ブラケット５の変形を生じ、突起部７、１１、１１ａを両方向に交互に摺動させる。
【符号の説明】
【００２８】
１  フレーム部
２  安全バー
３  取付板
４  継手
５  ブラケット
６  ばねアーム
７  突起部
８、９  摺動面
１０  ボルト
１１、１１ａ  突起部
１２、１３  摺動面
【図１】
0006443782.tif 000002
【図２】
0006443782.tif 000003
【図３】
0006443782.tif 000004
【図４】
0006443782.tif 000005